(57)【要約】【課題】MACスケジューラなどの上位レイヤの機能と、無線物理レイヤの機能とが分離して実装された場合でも、ユーザ装置に対する特定のスケジューリングに即した処理を実行し得る無線基地局及び通信制御方法を提供する。【解決手段】同一の割り当て情報を用いたユーザ装置300のスケジューリング、具体的には、Semi-Persistent Scheduling（SPS）が実行される場合、無線基地局の中央集約装置210が、ユーザ装置300へのPDCCHの送信が不要であることを示す送信不要情報を含むフレームを送信するステップと、張出装置260が、送信不要情報に基づいて、PDCCHの送信を停止するステップとを含む。【選択図】図５
2017188857.tif 000002
【特許請求の範囲】
【請求項１】
張出装置と中央集約装置とを含み、ユーザ装置と無線通信を実行する無線基地局であって、
前記中央集約装置は、無線リソースの割り当てを示す割り当て情報と、前記ユーザ装置に向けて送信されるデータである下りデータとをそれぞれ含むフレームを前記張出装置に送信するフレーム送信部を備え、
前記張出装置は、
前記フレームを受信するフレーム受信部と、
前記フレーム受信部が受信した前記フレームに基づいて、下り制御チャネルを介して前記割り当て情報を前記ユーザ装置に送信するとともに、下り共有チャネルを介して前記下りデータを前記ユーザ装置に送信するチャネル送信部と
を備え、
前記フレーム送信部は、同一の前記割り当て情報を用いた前記ユーザ装置のスケジューリングが実行される場合、前記ユーザ装置への前記下り制御チャネルの送信が不要であることを示す送信不要情報を含む前記フレームを送信し、
前記チャネル送信部は、前記送信不要情報に基づいて、前記下り制御チャネルの送信を停止する無線基地局。
【請求項２】
張出装置と中央集約装置とを含み、ユーザ装置と無線通信を実行する無線基地局であって、
前記中央集約装置は、無線リソースの割り当てを示す割り当て情報と、前記ユーザ装置に向けて送信されるデータである下りデータとをそれぞれ含むフレームを前記張出装置に送信するフレーム送信部を備え、
前記張出装置は、
前記フレームを受信するフレーム受信部と、
前記フレーム受信部が受信した前記フレームに基づいて、下り制御チャネルを介して前記割り当て情報を前記ユーザ装置に送信するとともに、下り共有チャネルを介して前記下りデータを前記ユーザ装置に送信するチャネル送信部と
を備え、
前記フレーム送信部は、複数の前記張出装置を用いてキャリアアグリゲーションが実行され、所定の張出装置からの前記下りデータに適用される前記割り当て情報が、他の張出装置から送信される前記下り制御チャネルを介して前記ユーザ装置に送信される場合、前記他の張出装置に対して、前記割り当て情報のみを含むとともに、前記下りデータが送信されないことを示す送信中止情報を含む前記フレームを送信し、
前記チャネル送信部は、前記送信中止情報に基づいて、前記下りデータが送信されないことを認識する無線基地局。
【請求項３】
張出装置と中央集約装置とを含み、ユーザ装置と無線通信を実行する無線基地局における通信制御方法であって、
前記中央集約装置が、無線リソースの割り当てを示す割り当て情報と、前記ユーザ装置に向けて送信されるデータである下りデータとをそれぞれ含むフレームを前記張出装置に送信するステップと、
前記張出装置が、受信した前記フレームに基づいて、下り制御チャネルを介して前記割り当て情報を前記ユーザ装置に送信するとともに、下り共有チャネルを介して前記下りデータを前記ユーザ装置に送信するステップと、
同一の前記割り当て情報を用いた前記ユーザ装置のスケジューリングが実行される場合、前記中央集約装置が、前記ユーザ装置への前記下り制御チャネルの送信が不要であることを示す送信不要情報を含む前記フレームを送信するステップと、
前記張出装置が、前記送信不要情報に基づいて、前記下り制御チャネルの送信を停止するステップと
を含む通信制御方法。
【請求項４】
張出装置と中央集約装置とを含み、ユーザ装置と無線通信を実行する無線基地局における通信制御方法であって、
前記中央集約装置が、無線リソースの割り当てを示す割り当て情報と、前記ユーザ装置に向けて送信されるデータである下りデータとをそれぞれ含むフレームを前記張出装置に送信するステップと、
前記張出装置が、受信した前記フレームに基づいて、下り制御チャネルを介して前記割り当て情報を前記ユーザ装置に送信するとともに、下り共有チャネルを介して前記下りデータを前記ユーザ装置に送信するステップと、
前記中央集約装置が、複数の前記張出装置を用いてキャリアアグリゲーションが実行され、所定の張出装置からの前記下りデータに適用される前記割り当て情報が、他の張出装置から送信される前記下り制御チャネルを介して前記ユーザ装置に送信される場合、前記他の張出装置に対して、前記割り当て情報のみを含むとともに、前記下りデータが送信されないことを示す送信中止情報を含む前記フレームを送信するステップと、
前記張出装置が、前記送信中止情報に基づいて、前記下りデータが送信されないことを認識するステップと
を含む通信制御方法。
【発明の詳細な説明】
【技術分野】
【０００１】
本発明は、張出装置と中央集約装置とを含み、ユーザ装置と無線通信を実行する無線基地局及び通信制御方法に関する。
【背景技術】
【０００２】
3rd Generation Partnership Project（3GPP）は、Long Term Evolution（LTE）の更なる高速化を目的としてLTE-Advanced（以下、LTE-Advancedを含めてLTEという）を仕様化している。また、3GPPでは、さらに、5G（5th generation mobile communication system）などと呼ばれるLTEの後継システムの仕様が検討されている。
【０００３】
LTEでは、MAC層におけるスケジューラ機能（MACスケジューラ）などを有する中央集約装置と、中央集約装置の設置場所から張り出して遠隔に配置する張出装置とを含む、いわゆるC-RAN型の無線基地局が用いられている。張出装置は、PA(Power Amplifier)/LNA(Low Noise Amplifier)、無線送受信モジュール及び変復調モジュールなどの無線部（RF部）を備える。
【０００４】
また、中央集約装置と張出装置とは、フロントホールと呼ばれる有線伝送路で接続される。このような中央集約装置と張出装置とのインタフェースとしては、例えば、Common Public Radio Interface（CPRI）が知られている。
【０００５】
ところで、上述した5Gの仕様検討に際して、これまで中央集約装置に実装されていた無線物理レイヤ（レイヤ1）の機能を張出装置に実装することが提唱されている（例えば、非特許文献１）。このような実装によれば、フロントホールの所要伝送帯域を削減することができる。
【先行技術文献】
【非特許文献】
【０００６】
【非特許文献１】3GPP RWS-150051(3GPP RAN workshop on 5G), “5G Vision for 2020 and Beyond”、3GPP、2015年9月
【発明の概要】
【発明が解決しようとする課題】
【０００７】
上述したように、これまで中央集約装置に実装されていた無線物理レイヤの機能を張出装置に実装した場合、次のような問題がある。すなわち、MACスケジューラなどの上位レイヤ（レイヤ2など）の機能は、これまでどおり中央集約装置に実装される。
【０００８】
このため、例えば、中央集約装置は、下り制御チャネル（PDCCH： Physical Downlink Control Channel）を介して送信される無線リソースの割り当て情報、及びユーザ装置（無線通信端末または移動局ともいう）に向けて、下り共有チャネル（DLSCH: Downlink Shared Channel）を介して送信されるユーザデータなどの下りデータを、張出装置に順次送信する必要がある。
【０００９】
また、張出装置は、中央集約装置から受信した割り当て情報及び下りデータをユーザ装置に送信する必要がある。
【００１０】
しかしながら、ユーザ装置に対する特定のスケジューリングが実行されている場合、割り当て情報または下りデータが通常のスケジューリングどおりに送信されない場合がある。
【００１１】
具体的には、Semi-Persistent Scheduling（SPS）が実行されている場合、PDCCHによる無線リソース消費を抑制するため、所定の期間に亘って同一の割り当て情報が用いられるため、当該所定の期間では、無線基地局からユーザ装置にPDCCHが送信されない。しかしながら、張出装置は、SPSが実行されていることを知り得ないため、PDCCHを送信してしまう。
【００１２】
また、ユーザ装置が複数の張出装置を用いてキャリアアグリゲーションを実行し、かつCross Carrier Scheduling（CCS）が実行されている場合、所定の張出装置からの下りデータに適用される割り当て情報が他の張出装置を介して送信されるため、当該他の張出装置は、当該割り当て情報と対応付けられる下りデータが中央集約装置から送信されることを期待してしまい、正常な処理を実行することができない。
【００１３】
そこで、本発明は、このような状況に鑑みてなされたものであり、MACスケジューラなどの上位レイヤの機能と、無線物理レイヤの機能とが分離して実装された場合でも、ユーザ装置に対する特定のスケジューリングに即した処理を実行し得る無線基地局及び通信制御方法の提供を目的とする。
【課題を解決するための手段】
【００１４】
本発明の一態様に係る無線基地局は、張出装置と中央集約装置とを含み、ユーザ装置と無線通信を実行する。前記中央集約装置は、無線リソースの割り当てを示す割り当て情報と、前記ユーザ装置に向けて送信されるデータである下りデータとをそれぞれ含むフレームを前記張出装置に送信するフレーム送信部を備え、前記張出装置は、前記フレームを受信するフレーム受信部と、前記フレーム受信部が受信した前記フレームに基づいて、下り制御チャネルを介して前記割り当て情報を前記ユーザ装置に送信するとともに、下り共有チャネルを介して前記下りデータを前記ユーザ装置に送信するチャネル送信部とを備え、前記フレーム送信部は、同一の前記割り当て情報を用いた前記ユーザ装置のスケジューリングが実行される場合、前記ユーザ装置への前記下り制御チャネルの送信が不要であることを示す送信不要情報を含む前記フレームを送信し、前記チャネル送信部は、前記送信不要情報に基づいて、前記下り制御チャネルの送信を停止する。
【００１５】
本発明の一態様に係る無線基地局は、張出装置と中央集約装置とを含み、ユーザ装置と無線通信を実行する。前記中央集約装置は、無線リソースの割り当てを示す割り当て情報と、前記ユーザ装置に向けて送信されるデータである下りデータとをそれぞれ含むフレームを前記張出装置に送信するフレーム送信部を備え、前記張出装置は、前記フレームを受信するフレーム受信部と、前記フレーム受信部が受信した前記フレームに基づいて、下り制御チャネルを介して前記割り当て情報を前記ユーザ装置に送信するとともに、下り共有チャネルを介して前記下りデータを前記ユーザ装置に送信するチャネル送信部とを備え、前記フレーム送信部は、複数の前記張出装置を用いてキャリアアグリゲーションが実行され、所定の張出装置からの前記下りデータに適用される前記割り当て情報が、他の張出装置から送信される前記下り制御チャネルを介して前記ユーザ装置に送信される場合、前記他の張出装置に対して、前記割り当て情報のみを含むとともに、前記下りデータが送信されないことを示す送信中止情報を含む前記フレームを送信し、前記チャネル送信部は、前記送信中止情報に基づいて、前記下りデータが送信されないことを認識する。
【００１６】
本発明の一態様に係る通信制御方法は、張出装置と中央集約装置とを含み、ユーザ装置と無線通信を実行する無線基地局において用いられる。通信制御方法は、前記中央集約装置が、無線リソースの割り当てを示す割り当て情報と、前記ユーザ装置に向けて送信されるデータである下りデータとをそれぞれ含むフレームを前記張出装置に送信するステップと、前記張出装置が、受信した前記フレームに基づいて、下り制御チャネルを介して前記割り当て情報を前記ユーザ装置に送信するとともに、下り共有チャネルを介して前記下りデータを前記ユーザ装置に送信するステップと、同一の前記割り当て情報を用いた前記ユーザ装置のスケジューリングが実行される場合、前記中央集約装置が、前記ユーザ装置への前記下り制御チャネルの送信が不要であることを示す送信不要情報を含む前記フレームを送信するステップと、前記張出装置が、前記送信不要情報に基づいて、前記下り制御チャネルの送信を停止するステップとを含む。
【００１７】
本発明の一態様に係る通信制御方法は、張出装置と中央集約装置とを含み、ユーザ装置と無線通信を実行する無線基地局において用いられる。通信制御方法は、前記中央集約装置が、無線リソースの割り当てを示す割り当て情報と、前記ユーザ装置に向けて送信されるデータである下りデータとをそれぞれ含むフレームを前記張出装置に送信するステップと、前記張出装置が、受信した前記フレームに基づいて、下り制御チャネルを介して前記割り当て情報を前記ユーザ装置に送信するとともに、下り共有チャネルを介して前記下りデータを前記ユーザ装置に送信するステップと、前記中央集約装置が、複数の前記張出装置を用いてキャリアアグリゲーションが実行され、所定の張出装置からの前記下りデータに適用される前記割り当て情報が、他の張出装置から送信される前記下り制御チャネルを介して前記ユーザ装置に送信される場合、前記他の張出装置に対して、前記割り当て情報のみを含むとともに、前記下りデータが送信されないことを示す送信中止情報を含む前記フレームを送信するステップと、前記張出装置が、前記送信中止情報に基づいて、前記下りデータが送信されないことを認識するステップとを含む。
【発明の効果】
【００１８】
上述した無線基地局及び通信制御方法によれば、MACスケジューラなどの上位レイヤの機能と、無線物理レイヤの機能とが分離して実装された場合でも、ユーザ装置に対する特定のスケジューリングに即した処理を実行し得る。
【図面の簡単な説明】
【００１９】
【図１】図１は、無線通信システム10の全体概略構成図である。
【図２】図２は、無線通信システム10の全体ブロック構成図である
【図３】図３は、中央集約装置210の機能ブロック構成図である。
【図４】図４は、張出装置260の機能ブロック構成図である。
【図５】図５（ａ）及び（ｂ）は、Semi-Persistent Scheduling（SPS）実行時における中央集約装置210、張出装置260及びユーザ装置300によるPDCCH及びPDSCHの送信動作の概念図である。
【図６】図６は、Semi-Persistent Scheduling（SPS）実行時における中央集約装置210、張出装置260及びユーザ装置300の通信シーケンスを示す図である。
【図７】図７は、Cross Carrier Scheduling（CCS）実行時における中央集約装置210、張出装置260及びユーザ装置300によるPDCCH及びPDSCHの送信動作の概念図である。
【図８】図８は、Cross Carrier Scheduling（CCS）実行時における中央集約装置210、張出装置260B及びユーザ装置300の通信シーケンスを示す図である。
【発明を実施するための形態】
【００２０】
以下、実施形態を図面に基づいて説明する。なお、同一の機能や構成には、同一または類似の符号を付して、その説明を適宜省略する。
【００２１】
（１）無線通信システムの全体概略構成
図１は、本実施形態に係る無線通信システム10の全体概略構成図である。無線通信システム10は、Long Term Evolution（LTE）、及びLTEの後継システムである5Gに従った無線通信システムである。
【００２２】
なお、本実施形態では、5Gと対応させる観点から、LTE（LTE-Advancedを含む）を適宜「4G」と称呼する。また、本実施形態では、5Gが導入された直後における無線通信システムの構成を想定しており、5Gが4Gを補完するLTE assisted operationを実現する。
【００２３】
無線通信システム10は、コアネットワーク20、無線基地局100、無線基地局200及びユーザ装置300を含む。
【００２４】
コアネットワーク20は、Evolved Packet Core（EPC）とも呼ばれ、移動管理エンティティ（MME）、サービングゲートウェイ（S-GW）及びPDNゲートウェイ（P-GW）などによって構成される。
【００２５】
無線基地局100は、4Gに従った無線基地局であり、eNodeBとも呼ばれている。無線基地局100は、S1-MMEまたはS1-Uインタフェースを介してコアネットワーク20を構成する装置（ノード）と接続される。
【００２６】
無線基地局200は、5Gに従った無線基地局である。無線基地局200は、X2インタフェース（ここでは、便宜的に、X2-AP’, X2-U’と呼ぶ）を介して無線基地局100と接続される。
【００２７】
ユーザ装置300（UE）は、無線基地局100及び無線基地局200と無線通信を実行することができる。ユーザ装置300は、無線通信端末、或いは移動局と呼ばれてもよい。無線基地局200及びユーザ装置300は、複数のアンテナ素子から送信される無線信号を制御することによって、より指向性の高いビームを生成するMassive MIMO、複数のコンポーネントキャリア（CC）を用いるキャリアアグリゲーション（CA）、及び複数の無線基地局とユーザ装置300との間においてコンポーネントキャリアを同時送信するデュアルコネクティビティ（DC）などに対応することができる。
【００２８】
図２は、無線通信システム10の全体ブロック構成図である。図２に示すように、無線基地局100は、中央集約装置110及び張出装置160によって構成される。同様に、無線基地局200は、中央集約装置210及び張出装置260によって構成される。なお、無線基地局100及び無線基地局200は、中央集約装置及び張出装置以外の他の装置を含んでもよい。
【００２９】
中央集約装置110は、無線物理レイヤ（L1）、ミディアムアクセス制御レイヤ（MAC）、無線リンク制御レイヤ（RLC）、パケット・データ・コンバージェンス・プロトコルレイヤ（PDCP）を有する。また、中央集約装置110は、PDCPの上位レイヤとして、無線リソース制御レイヤ（RRC）を有する。
【００３０】
張出装置160は、中央集約装置110の設置場所から張り出して遠隔に配置することができる。張出装置160は、PA(Power Amplifier)/LNA(Low Noise Amplifier)、無線送受信モジュール及び変復調モジュールなどの無線部（RF）を有する。
【００３１】
中央集約装置110は、デジタル処理部（Digital Unit（DU））またはCentral Unit（CU）とも呼ばれ、張出装置160は、無線処理部（Radio Unit（RU））またはRemote Unit（RU）とも呼ばれる。中央集約装置110と張出装置160とは、フロントホールと呼ばれる有線伝送路で接続される。このような中央集約装置110と張出装置160とのインタフェースとしては、例えば、Common Public Radio Interface（CPRI）が用いられる。
【００３２】
中央集約装置210及び張出装置260は、上述した中央集約装置110及び張出装置160にそれぞれ対応するが、レイヤ構成が異なっている。
【００３３】
具体的には、中央集約装置210は、ミディアムアクセス制御レイヤ（MAC）及び無線リンク制御レイヤ（RLC）を有する。張出装置260は、無線物理レイヤ（L1）及び無線部（RF）を有する。
【００３４】
なお、上述したように、中央集約装置210は、X2-AP’, X2-U’インタフェースを介して中央集約装置110と接続される。
【００３５】
（２）無線通信システムの機能ブロック構成
次に、無線通信システム10の機能ブロック構成について説明する。具体的には、中央集約装置210及び張出装置260の機能ブロック構成について説明する。
【００３６】
（２．１）中央集約装置210
図３は、中央集約装置210の機能ブロック構成図である。図３に示すように、中央集約装置210は、情報送信部211、情報受信部213、スケジューラ機能部215、チャネル制御部217及びX2 IF部219を備える。
【００３７】
なお、図３に示すように、中央集約装置210の各機能ブロックは、プロセッサ（メモリを含む）、機能モジュール（外部接続IFなど）、及び電源などのハードウェア要素によって実現される。
【００３８】
情報送信部211は、無線基地局100、具体的には、張出装置260とユーザ装置300との無線通信に必要な情報を張出装置260に送信する。特に、本実施形態では、情報送信部211は、当該無線通信に用いられる無線リソースの割り当てを示す割り当て情報と、ユーザ装置300に向けて送信されるデータ（例えば、ユーザデータ）である下りデータとをそれぞれ複数含むフレームを張出装置260に送信する。本実施形態において、情報送信部211は、フレーム送信部を構成する。
【００３９】
具体的には、情報送信部211は、チャネル制御部217からの通知などに基づいて、割り当て情報及び下りデータの発生に応じて、張出装置260にフレームを順次送信することができる。
【００４０】
なお、フレームとは、時間軸上における所定長さの枠組みであり、各種の制御情報（無線リソースの割り当て情報を含む）及びユーザデータなどのデータの送信に用いられる。また、フレームは、サブフレーム、スロット或いは単に信号などと呼ばれてもよい。
【００４１】
割り当て情報とは、スケジューラ機能部215がスケジューリングしたユーザ装置300に対して割り当てられる無線リソースブロック（周波数、時間など）の位置を示すものDCI（Downlink Control Information）である。当該割り当て情報は、下り制御チャネル、具体的には、下り方向の物理チャネルであるPDCCH（Physical Downlink Control Channel）を介してユーザ装置300に送信される。なお、フレームに含まれる割り当て情報は、実際にPDCCHを介してユーザ装置300に送信される情報自体でもよいし、DCIのうちの一部或いは全部でもよい。
【００４２】
下りデータとは、下り共有チャネル、具体的には、下り方向のトランスポートチャネルであるDLSCH（Downlink Shared Channel）を介して送信されるものであり、ユーザデータなどが含まれるが、必ずしもユーザデータに限定されるものでもない。
【００４３】
また、情報送信部211は、DLSCHを送信する場合、中央集約装置210から張出装置260に対して、割り当て情報（PDCCH情報）及び下りデータ（DLSCH情報）を含むフレームを送信し、張出装置260（後述するチャネル送信部265）は、PDCCH情報及びDLSCH情報の両方をユーザ装置300に送信するが、特定のスケジューリングが実行されている場合、張出装置260からユーザ装置300に対して当該情報が送信されない場合がある。
【００４４】
具体的には、Semi-Persistent Scheduling（SPS）が実行されている場合、PDCCHの送信に伴う無線リソースの消費を抑制するため、特定の割り当て情報（PDCCH情報）が所定期間に亘って用いられる。つまり、DLSCHに対応する物理チャネルであるPDSCH（Physical Downlink Shared Channel）は送信されるが、PDCCHが送信されない場合がある。
【００４５】
そこで、情報送信部211は、同一の割り当て情報を用いたユーザ装置300のスケジューリング（SPS）が実行される場合、当該ユーザ装置300への下り制御チャネル（PDCCH）の送信が不要であることを示す送信不要情報を含むフレームを送信することができる。
【００４６】
また、ユーザ装置300が複数の張出装置260を用いてキャリアアグリゲーションを実行し、かつCross Carrier Scheduling（CCS）が実行されている場合、干渉によりPDCCHの受信特性が劣化するケースを救済するため、特定セルの割り当て情報が別のセルを経由して送信される。具体的には、異なる張出装置260が送受信するコンポーネントキャリア（CC）に対してCCSが適用される場合が考えられる。
【００４７】
そこで、情報送信部211は、複数の張出装置260を用いてキャリアアグリゲーションが実行され、所定の張出装置260（例えば、図７に示す張出装置260Aからの下りデータに適用される割り当て情報が、他の張出装置260（例えば、図７に示す張出装置260B）から送信される下り制御チャネル（PDCCH）を介してユーザ装置300に送信される場合、当該他の張出装置（張出装置260B）に対して、割り当て情報のみを含むとともに、下りデータが送信されないことを示す送信中止情報を含むフレームを送信することができる。
【００４８】
また、情報送信部211は、割り当て情報と下りデータとの対応関係を示す構成を有するフレームを送信することができる。具体的には、当該フレームは、受信側、つまり、張出装置260が割り当て情報（PDCCH情報）と対応付けられる下りデータ（DLSCH情報）を判定できる構成を有する。判定できる構成とは、明示的に当該対応が示されるものでもよいし、暗示的に当該対応が示されるものでもよい。
【００４９】
情報受信部213は、張出装置260から送信された情報を受信する。例えば、情報受信部213は、CQI（Channel Quality Indicator）、PMI（Precoding Matrix Indicator）及びRI（Rank Indicator）などの下りリンク品質情報を受信する。また、情報受信部213は、CSI（Channel State Information）及びSRS（Sounding Reference Signal）の判定結果、ランダムアクセスレスポンス（RAR）及び下り方向のスケジューリング要求などを受信する。
【００５０】
スケジューラ機能部215は、無線基地局200と接続されている複数のユーザ装置300の状況、及びそれぞれのユーザ装置300からのスケジューリング要求などに応じて、無線リソースのユーザ装置300へのスケジューリング（MACスケジューラなど）を実行する。また、スケジューラ機能部215は、スケジューリングの結果をチャネル制御部217に通知する。
【００５１】
チャネル制御部217は、無線基地局100（具体的には、張出装置260）と、ユーザ装置300との間において送受信される各種チャネル、具体的には、論理チャネル、トランスポートチャネル及び物理チャネルの制御を実行する。
【００５２】
チャネル制御部217は、下り方向の物理チャネルとして、例えば、PDCCH、PDSCH、PHICH（Physical HARQ Indicator Channel）、PCFICH（Physical Control Format Indicator Channel）などの送信タイミング及び内容を決定する。また、チャネル制御部217は、下り方向のトランスポートチャネルとして、DLSCH、BCH（Broadcast Channel）及びPCH（Paging Channel）などの送信タイミング及び内容を決定する。
【００５３】
チャネル制御部217は、上り方向の物理チャネルとして、例えば、PUCCH（Physical Uplink Control Channel）、SRS（Sounding Reference Signal）、PRACH（Physical Random Access Channel）及びPUSCH（Physical Uplink Shared Channel）などの受信に関する制御を実行する。
【００５４】
チャネル制御部217は、各種チャネルの制御内容を情報送信部211に通知する。
【００５５】
X2 IF部219は、中央集約装置110との通信を実現するためのインタフェースを提供する。具体的には、X2 IF部219は、中央集約装置110と中央集約装置210とをMAC及びRLCを用いて直接接続するインタフェースであり、既存のオープンインタフェースであることが好ましい。ユーザ装置300の送受信データは、X2 IF部219を介して無線基地局100と中継される。
【００５６】
（２．２）張出装置260
図４は、張出装置260の機能ブロック構成図である。図４に示すように、張出装置260は、無線通信部261、情報受信部263、チャネル送信部265、情報取得部267及び情報送信部269を備える。
【００５７】
なお、図４に示すように、張出装置260の各機能ブロックは、デュープレクサ、PA(Power Amplifier)/LNA(Low Noise Amplifier)、無線送受信モジュール（RF変換）、機能モジュール（直交変復調など）、及び電源などのハードウェア要素によって実現される。
【００５８】
無線通信部261は、ユーザ装置300との無線通信を実行する。具体的には、無線通信部261は、5Gの仕様に従ってユーザ装置300との無線通信を実行する。上述したように、無線通信部261は、Massive MIMO、キャリアアグリゲーション（CA）、及びデュアルコネクティビティ（DC）などに対応することができる。
【００５９】
情報受信部263は、中央集約装置210から送信された情報を受信する。具体的には、情報受信部263は、中央集約装置210から送信される無線通信に必要な情報などを受信する。
【００６０】
特に、本実施形態では、情報受信部263は、無線リソースの割り当てを示す割り当て情報と、ユーザ装置300に向けて送信される下りデータとを含むフレームを受信する。本実施形態において、情報受信部263は、フレーム受信部を構成する。
【００６１】
チャネル送信部265は、各種チャネル、具体的には、下り方向のトランスポートチャネル及び物理チャネルなどをユーザ装置300に向けて送信する。
【００６２】
具体的には、チャネル送信部265は、情報受信部263が受信したフレームに基づいて、下り制御チャネル（具体的には、PDCCH）を介して割り当て情報をユーザ装置300に送信するとともに、下り共有チャネル（具体的には、DLSCH）を介して下りデータをユーザ装置300に送信する。なお、上述したように、トランスポートチャネルであるDLSCHは、下り方向の物理チャネルであるPDSCHにマッピングされる。
【００６３】
また、チャネル送信部265は、情報受信部263が受信したフレームに、ユーザ装置300へのPDCCHの送信が不要であることを示す送信不要情報が含まれていた場合、当該送信不要情報に基づいてPDCCHの送信を停止する。
【００６４】
さらに、チャネル送信部265は、情報受信部263が受信したフレームに、割り当て情報のみを含むとともに、下りデータが送信されないことを示す送信中止情報が含まれていた場合、当該送信中止情報に基づいて、中央集約装置210から下りデータが送信されないことを認識する。
【００６５】
情報取得部267は、ユーザ装置300から送信された下りリンク品質情報（CQIなど）及び下り方向のスケジューリング要求などを取得する。
【００６６】
情報送信部269は、チャネル送信部265が取得した下りリンク品質除法及び下り方向のスケジューリング要求などを中央集約装置210に送信する。
【００６７】
（３）無線通信システムの動作
次に、無線通信システム10の動作について説明する。具体的には、ユーザ装置300に対する特定のスケジューリングが実行されている場合におけるフレーム、PDCCH及びPDSCHの送信動作について説明する。
【００６８】
具体的には、Semi-Persistent Scheduling実行時及びCross Carrier Scheduling（CCS）実行時の動作について説明する。
【００６９】
（３．１）Semi-Persistent Scheduling実行時
図５（ａ）及び（ｂ）は、Semi-Persistent Scheduling（SPS）実行時における中央集約装置210、張出装置260及びユーザ装置300によるPDCCH及びPDSCHの送信動作の概念図である。具体的には、図５（ａ）は、SPS実行時におけるPDCCH及びPDSCHの送信動作を示し、図５（ｂ）は、SPSが実行されていない通常スケジューリング時におけるPDCCH及びPDSCHの送信動作を示す。
【００７０】
上述したように、SPSの場合、所定の期間に亘って同一の割り当て情報が用いられるため、張出装置260がSPSの実行中であることを認識できないと、張出装置260は、本来送信が不要な情報、つまり、PDCCHまでユーザ装置300に送信してしまい、無線リソースを浪費する可能性がある。但し、張出装置260は、PDSCH送信のため、PDCCHの情報自体は、中央集約装置210から受信する必要がある。
【００７１】
そこで、図５（ａ）に示すように、中央集約装置210から送信されるフレームには、PDCCHの送信が不要であること示す送信不要情報が含まれる。ユーザ装置300は、送信不要情報に基づいて、所定の期間（例えば、送信不要情報の繰り返し受信を継続している期間）、PDCCHの送信を停止する。
【００７２】
一方、図５（ｂ）に示すように、通常のスケジューリング時では、フレームには送信不要情報は含まれず、張出装置260は、PDCCH及びPDSCHを送信する。
【００７３】
図６は、Semi-Persistent Scheduling（SPS）実行時における中央集約装置210、張出装置260及びユーザ装置300の通信シーケンスを示す。
【００７４】
図６に示すように、中央集約装置210は、送信不要情報を含むフレームを生成（S10）し、生成したフレームを張出装置260に送信する（S20）。
【００７５】
張出装置260は、受信したフレームに含まれる割り当て情報（PDCCH情報）、下りデータ（DLSCH情報）及び送信不要情報に基づいて、PDSCHのみを生成する（S30）。また、張出装置260は、生成したPDSCHをユーザ装置300に送信する（S40）。
【００７６】
なお、上述した動作例では、明示的な送信不要情報が用いられていたが、送信不要であることを示すことに代えて、スケジューリングの種別（SPS）を示すことによって、間接的にPDCCHの送信が不要であることを張出装置260に認識させるようにしてもよい。或いは、送信不要情報に加えて、その理由、つまり、スケジューリングの種別（SPS）が付加されても構わない。
【００７７】
また、全てのPDCCH情報及びDLSCH情報に対して、ユーザ装置300への送信要否が示されてもよい。さらに、送信不要情報に代えて、ユーザ装置300への送信が必要な情報のみを対象とした情報をフレームに含めるようにしてもよい。
【００７８】
或いは、PDCCH情報の一部が無効な場合（或いは、特定の値の場合）、ユーザ装置300への送信が不要と判定されてもよい。この場合、フレームでの通知でなくても構わない。例えば、PDCCHの送信電力値が「0」、或いは無効値を示していることによって、ユーザ装置300への送信が不要なことが通知されてもよい。
【００７９】
さらに、SPS実行時における初回の送信では、PDCCH情報自体が通知されなくても構わない。張出装置260が、予めSPSの設定を認識していることを前提とすると、中央集約装置210からPDCCH情報を通知することなく、PDSCHを生成することが可能なためである。なお、HARQ（Hybrid ARQ）の再送については、PDCCHで通知されてもよい。
【００８０】
また、中央集約装置210が、PDCCHの送信が不要であることを張出装置260に通知する際、中央集約装置210は、PDCCH情報自体を通知せずに、過去のPDCCH情報を利用してもよい。
【００８１】
具体的には、PDCCH情報毎にインデックスを付与し、PDCCH情報の送信が不要な場合、中央集約装置210は、当該インデックスを通知する。張出装置260は、これにより、PDSCHの送信に用いるPDCCH情報を特定するが可能となる。
【００８２】
また、中央集約装置210は、インデックスに代えて、対象となるPDCCH情報の張出装置260における受信タイミング、具体的には、対象となるPDCCH情報が配置されているフレーム内の位置（H-SFN, SFN, subframe番号）を通知するようにしてもよい。なお、このような制御は、張出装置260が、中央集約装置210から受信したPDCCH情報を保持しておくことが前提となる。そこで、中央集約装置210は、張出装置260が保持しておくべきPDCCH情報を指定したり、張出装置260は、保持していたPDCCH情報を所定時間経過後に破棄、或いは中央集約装置210からの指示によって破棄してもよい。
【００８３】
（３．２）Cross Carrier Scheduling実行時
図７は、Cross Carrier Scheduling（CCS）実行時における中央集約装置210、張出装置260及びユーザ装置300によるPDCCH及びPDSCHの送信動作の概念図である。
【００８４】
上述したように、キャリアアグリゲーション（CA）かつCCSが実行されている場合でも、張出装置260は、PDCCH情報及びDLSCH情報の受信を期待してしまう。具体的には、CCSのスケジューリングセルであるにも関わらず、張出装置260は、対応するDLSCH情報の受信を期待してしまう。
【００８５】
また、張出装置260Bは、本来送信が不要な情報、つまり、PDCCHまでユーザ装置300に送信してしまい、無線リソースを浪費する可能性がある。但し、張出装置260Bは、PDSCH送信のため、PDCCHの情報自体は、中央集約装置210から受信する必要がある。
【００８６】
そこで、図７に示すように、中央集約装置210は、張出装置260Aに対してPDCCH情報及びDLSCH情報を含むフレームF10を送信し、張出装置260Bに対しては、PDCCH情報及び送信中止情報を含むフレームF20を送信する。
【００８７】
なお、図７に示す例では、張出装置260A及び張出装置260Bと、ユーザ装置300との間において、複数のコンポーネントキャリアを用いたキャリアアグリゲーションが実行されている。
【００８８】
また、CCSが実行されているため、張出装置260Aからユーザ装置300には、PDSCHのみが送信される。一方、張出装置260Bからユーザ装置300には、PDCCHのみが送信される。当該PDCCHには、張出装置260Aが送信するPDSCHに関する割り当て情報が含まれている。
【００８９】
図８は、Cross Carrier Scheduling（CCS）実行時における中央集約装置210、張出装置260B及びユーザ装置300の通信シーケンスを示す。
【００９０】
図８に示すように、中央集約装置210は、送信中止情報を含むフレームを生成（S110）し、生成したフレームを張出装置260Bに送信する（S120）。
【００９１】
張出装置260Bは、受信したフレームに含まれる割り当て情報（PDCCH情報）及び送信中止情報に基づいて、PDCCHのみを生成する（S130）。つまり、張出装置260Bは、送信中止情報に基づいて、下りデータ（DLSCH情報）が送信されないことを認識する。
【００９２】
張出装置260Bは、生成したPDCCHをユーザ装置300に送信する（S240）。
【００９３】
なお、上述した動作例では、明示的な送信中止情報が用いられていたが、送信が中止されることを示すことに代えて、スケジューリングの種別（CCS）を示すことによって、間接的に下りデータ（DLSCH情報）が送信されないことを張出装置260に認識させるようにしてもよい。或いは、送信中止情報に加えて、その理由、つまり、スケジューリングの種別（CCS）が付加されても構わない。また、付加される情報としてCIF（Carrier Indicator field)が用いされてもよい。
【００９４】
なお、CCS自体は、無線リソース制御レイヤ（RRC）において設定されるため、張出装置260が、CCSの設定情報を把握し、当該設定情報を基づいて、中央集約装置210から受信したPDCCH情報に対応するDLSCH情報の受信を期待すべきかを判定するようにしてもよい。
【００９５】
また、全てのPDCCH情報に対して、対応するDLSCH情報の有無が示されてもよい。或いは、送信中止情報に代えて、DLSCH情報が送信される場合のみ、当該DLSCH情報が送信されることを示す情報を用いてもよい。
【００９６】
なお、何らかの異常などによって、PDCCH及びPDSCHの両方、つまり、何も無線区間に送信されるチャネルがユーザ装置300に送信されない場合、張出装置260は、送信エラーであることを中央集約装置210に通知してもよい。
【００９７】
例えば、PDSCHのみを送信する張出装置260（CCSのスケジューリングセルを構成する張出装置260）に対して、中央集約装置210は、PDCCH情報（ユーザ装置300に通知不要）及びDLSCH情報（ユーザ装置300に通知要）を送信する。ここで、DLSCH情報が中央集約装置210〜張出装置260間のインタフェース（FH伝送路）上で欠落し、張出装置260がPDCCH情報のみを受信した場合、張出装置260は、ユーザ装置300に送信できる情報を取得できないため、上述の送信エラーを通知する。
【００９８】
さらに、CCS以外でもPDCCHのみが送信されるようなDCIの場合、当該DCIの内容に基づいて、張出装置260が、DLSCH或いはPDSCHが送信されないと判定してもよい。例えば、PDCCHのみ送信される場合としては、Aperiodic CSI/SRS request、TPC command、eIMTA用の指示信号、PDCCH orderなどが挙げられる。
【００９９】
なお、この場合、DCIフォーマットの種別によって当該判定をしてもよいし、PDCCHに適用される識別子（例えば、C-RNTI）によって当該判定をしてもよい。また、DCIフォーマットの種別は、フレーム内で直接的に示されてもよいし、DCIフォーマットによって定められるサイズまたは内容によって示されてもよい。
【０１００】
（４）作用・効果
上述した実施形態によれば、以下の作用効果が得られる。具体的には、中央集約装置210は、PDCCHの送信が不要であることを示す送信不要情報を含むフレームを送信する。このため、Semi-Persistent Scheduling（SPS）が実行されている場合に、張出装置260が不要なPDCCHを送信してしまうことを確実に防止できる。
【０１０１】
また、中央集約装置210は、割り当て情報（PDCCH情報）のみを含むとともに、下りデータ（DLSCH情報）が送信されないことを示す送信中止情報を含むフレームを送信する。このため、Cross Carrier Scheduling（CCS）が実行されている場合に、張出装置260が当該割り当て情報と対応付けられる下りデータが中央集約装置から送信されることを期待してしまい、正常な処理を実行することができない状態を回避できる。また、張出装置260が不要なPDCCHを送信してしまうことを確実に防止できる。
【０１０２】
すなわち、無線基地局100によれば、MACスケジューラなどの上位レイヤの機能と、無線物理レイヤの機能とが分離して実装された場合でも、ユーザ装置300に対する特定のスケジューリングに即した処理を実行し得る。
【０１０３】
（５）その他の実施形態
以上、実施形態に沿って本発明の内容を説明したが、本発明はこれらの記載に限定されるものではなく、種々の変形及び改良が可能であることは、当業者には自明である。
【０１０４】
例えば、上述した実施形態では、送信不要情報及び送信中止情報が中央集約装置210から送信されるフレームに含まれるものとして説明したが、上述したようにフレームは、概念的なものであり、信号と呼ばれても構わない。従って、送信不要情報及び送信中止情報は、割り当て情報（PDCCH情報）及び下りデータ（DLSCH情報）とは別に中央集約装置210から張出装置260に通知されてもよい。
【０１０５】
また、張出装置260がPDCCHまたはPDSCHを送信するか否かについては、中央集約装置210からの信号受信タイミング（或いは張出装置260からユーザ装置300への信号送信タイミング）において判定されてもよいし、中央集約装置210〜張出装置260間のインタフェース（FH伝送路）上において用いられるリソース（FH伝送路に用いられる伝送周波数）によって一意に把握できるようにしてもよい。
【０１０６】
また、3GPPにおいて検討されているRel-14の仕様では、TTI（Transmission Time Interval）長の短縮によるスループット向上が目標とされている（Latency reduction用のPDCCH）。具体的には、TTI短縮に伴う制御チャネルのオーバヘッド削減のため、割り当て情報を分割して複数の制御チャネルを用いて通知する方法（2 STEP DCI制御）が検討されている（例えば、3GPP寄書R1-160931, 160585参照）。
【０１０７】
より具体的には、1st PDCCHは、実際のPRB（リソースブロック）の指定し、PRBの割当て範囲をある程度限定する用途として用いられる。つまり、1st PDCCHは、PDSCHを伴わないPDCCHである。このようなPDCCHに対しても、PDSCHの送信が不要であることが通知されるようにしてもよい。
【０１０８】
また、上述した実施形態では、5Gが導入された直後における無線通信システムの構成を想定しており、5Gが4Gを補完するLTE assisted operationを実現している体について説明したが、本発明は、このようなLTE assisted operationに限らず、例えば、5G単独でのoperationにも適用し得ることは勿論である。
【０１０９】
さらに、上述した実施形態全体を通じて、3GPPにおいて規定される用語を主に用いて説明したが、当該用語は、他の用語に置き換えられても構わない。例えば、上述した実施形態の中でも言及したように、ユーザ装置は、無線通信端末、移動局、或いはユーザ端末などと呼ばれてもよいし、無線基地局は、ノード或いは無線通信装置またはシステムなどと呼ばれても構わない。
【０１１０】
なお、本発明は、以下のように表現されてもよい。本発明の一態様は、張出装置（張出装置260）と中央集約装置（中央集約装置210）とを含み、ユーザ装置（ユーザ装置300）と無線通信を実行する無線基地局（無線基地局100）であって、前記中央集約装置は、無線リソースの割り当てを示す割り当て情報と、前記ユーザ装置に向けて送信されるデータである下りデータとをそれぞれ含むフレームを前記張出装置に送信するフレーム送信部（情報送信部211）を備え、前記張出装置は、前記フレームを受信するフレーム受信部（情報受信部263）と、前記フレーム受信部が受信した前記フレームに基づいて、下り制御チャネル（PDCCH）を介して前記割り当て情報を前記ユーザ装置に送信するとともに、下り共有チャネル（DLSCH）を介して前記下りデータを前記ユーザ装置に送信するチャネル送信部（チャネル送信部265）とを備え、前記フレーム送信部は、同一の前記割り当て情報を用いた前記ユーザ装置のスケジューリングが実行される場合、前記ユーザ装置への前記下り制御チャネルの送信が不要であることを示す送信不要情報を含む前記フレームを送信し、前記チャネル送信部は、前記送信不要情報に基づいて、前記下り制御チャネルの送信を停止する。
【０１１１】
本発明の一態様に係る無線基地局は、張出装置と中央集約装置とを含み、ユーザ装置と無線通信を実行する。前記中央集約装置は、無線リソースの割り当てを示す割り当て情報と、前記ユーザ装置に向けて送信されるデータである下りデータとをそれぞれ含むフレームを前記張出装置に送信するフレーム送信部を備え、前記張出装置は、前記フレームを受信するフレーム受信部と、前記フレーム受信部が受信した前記フレームに基づいて、下り制御チャネルを介して前記割り当て情報を前記ユーザ装置に送信するとともに、下り共有チャネルを介して前記下りデータを前記ユーザ装置に送信するチャネル送信部とを備え、前記フレーム送信部は、複数の前記張出装置を用いてキャリアアグリゲーションが実行され、所定の張出装置からの前記下りデータに適用される前記割り当て情報が、他の張出装置から送信される前記下り制御チャネルを介して前記ユーザ装置に送信される場合、前記他の張出装置に対して、前記割り当て情報のみを含むとともに、前記下りデータが送信されないことを示す送信中止情報を含む前記フレームを送信し、前記チャネル送信部は、前記送信中止情報に基づいて、前記下りデータが送信されないことを認識する。
【０１１２】
本発明の一態様に係る通信制御方法は、張出装置と中央集約装置とを含み、ユーザ装置と無線通信を実行する無線基地局において用いられる。通信制御方法は、前記中央集約装置が、無線リソースの割り当てを示す割り当て情報と、前記ユーザ装置に向けて送信されるデータである下りデータとをそれぞれ含むフレームを前記張出装置に送信するステップと、前記張出装置が、受信した前記フレームに基づいて、下り制御チャネルを介して前記割り当て情報を前記ユーザ装置に送信するとともに、下り共有チャネルを介して前記下りデータを前記ユーザ装置に送信するステップと、同一の前記割り当て情報を用いた前記ユーザ装置のスケジューリングが実行される場合、前記中央集約装置が、前記ユーザ装置への前記下り制御チャネルの送信が不要であることを示す送信不要情報を含む前記フレームを送信するステップと、前記張出装置が、前記送信不要情報に基づいて、前記下り制御チャネルの送信を停止するステップとを含む。
【０１１３】
本発明の一態様に係る通信制御方法は、張出装置と中央集約装置とを含み、ユーザ装置と無線通信を実行する無線基地局において用いられる。通信制御方法は、前記中央集約装置が、無線リソースの割り当てを示す割り当て情報と、前記ユーザ装置に向けて送信されるデータである下りデータとをそれぞれ含むフレームを前記張出装置に送信するステップと、前記張出装置が、受信した前記フレームに基づいて、下り制御チャネルを介して前記割り当て情報を前記ユーザ装置に送信するとともに、下り共有チャネルを介して前記下りデータを前記ユーザ装置に送信するステップと、前記中央集約装置が、複数の前記張出装置を用いてキャリアアグリゲーションが実行され、所定の張出装置からの前記下りデータに適用される前記割り当て情報が、他の張出装置から送信される前記下り制御チャネルを介して前記ユーザ装置に送信される場合、前記他の張出装置に対して、前記割り当て情報のみを含むとともに、前記下りデータが送信されないことを示す送信中止情報を含む前記フレームを送信するステップと、前記張出装置が、前記送信中止情報に基づいて、前記下りデータが送信されないことを認識するステップとを含む。
【０１１４】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【０１１５】
10  無線通信システム
20  コアネットワーク
100  無線基地局
110  中央集約装置
160  張出装置
200  無線基地局
210  中央集約装置
211  情報送信部
213  情報受信部
215  スケジューラ機能部
217  チャネル制御部
219  X2 IF部
260, 260A, 260B  張出装置
261無線通信部
263  情報受信部
265  チャネル送信部
267  情報取得部
269  情報送信部
F10, F20  フレーム
【図１】
2017188857.tif 000003
【図２】
2017188857.tif 000004
【図３】
2017188857.tif 000005
【図４】
2017188857.tif 000006
【図５】
2017188857.tif 000007
【図６】
2017188857.tif 000008
【図７】
2017188857.tif 000009
【図８】
2017188857.tif 000010